(57)【要約】      （修正有）【課題】土木及び建築などにおいて水平確認作業をする際に用いる水平器であって、比較的暗い場所でも正確な水平面を得ることができる照明付き水平器を提供する。【解決手段】内部へ電池、回路及び付属品を収容した直方体状の本体１の中間部へ透孔部２、３を設け、該透孔部２，３へ水管４、５を夫々セットすると共に、水管４、５の両側部は基準線（黒色）６、６を介して透明青色又は透明黄色に着色し、着色部７、７（青色又は黄色）とする。本体１の短縁側には先端側を幅狭くしたフック８、８をそれぞれ固着する。また、水管４、５を照明する発光ダイオードは、直列に接続されている。この場合には、回路のスイッチのＯＮ、ＯＦＦによって照明は点灯し、又は消灯する。前記発光ダイオードの回路を並列にすれば、スイッチの介在により発光ダイオードの回路を個別に断接することもできる。【選択図】図１
0003175740.tif 000002
【実用新案登録請求の範囲】
【請求項１】
照明に必要な発光体、電気回路、電池を収容した直方体状の本体の幅の広い側面に二つの透孔を設け、前記各透孔へ水管をそれぞれ架設し、前記水管の一方は前記本体の長側壁と平行に、他方は前記本体の長側壁と直角に設置し、前記各水管の基準線の外側をそれぞれ着色し、前記本体の短側壁にフックを固定し、前記長側壁は被測定面との当接面としたことを特徴とする照明付き水平器。
【請求項２】
水管の着色部の色彩は、青色又は黄色その他の有彩色であって、気泡を認識可能な半透明としたことを特徴とする請求項１記載の照明付き水平器。
【請求項３】
フックは先端側の幅を狭くしたことを特徴とする請求項１記載の照明付き水平器。
【請求項４】
本体の他物との当接面は、中央部を断面V字状に凹入させた平面であって、前記当接面の一部に永久磁石を埋設したことを特徴とする請求項１記載の照明付き水平器。
【請求項５】
フックの固定部は、一方を本体の表面側に固定し、他方を本体の裏面側に固定したことを特徴とする請求項１記載の照明付き水平器。
【請求項６】
照明は、水管の一端部中央に発光ダイオードを配置し、気泡を照射すべく投光したことを特徴とする請求項１記載の照明付き水平器。
【請求項７】
スイッチの上面には、移動方向に直角な複数の突条を並列設置したことを特徴とする請求項１記載の照明付き水平器。
【請求項８】
本体の当接面を構成しない長側壁の水平水管に対応する位置へ水平水管を目視する透孔を設けたことを特徴とする請求項１記載の照明付き水平器。
【考案の詳細な説明】
【技術分野】
【０００１】
この考案は、機械設置、土木及び建築などにおいて水平確認作業をする際に用いる水平器であって、比較的暗い場所でも正確な水平面を正確に得るべく使用できる照明付き水平器に関する。
【背景技術】
【０００２】
従来照明付き水平器については提案されており、水平器の気泡の位置を見易くする為に工夫されている。水平器は、水管に印された基準線間に気泡を導く方式であるが、水管を照明することによって気泡と基準線とが見分け難くなるおそれがあった。
【先行技術文献】
【特許文献】
【０００３】
【特許文献１】特開２００２−４８５３８号公報
【特許文献２】実用新案登録第３１２１６１４号公報
【特許文献３】特開２００５−２６５４８７号公報
【考案の概要】
【考案が解決しようとする課題】
【０００４】
従来水平器は必ずしも明るい時間と場所での使用だけでなく、早朝、夕方、室内又は地下など明暗に拘らず各種現場で使用される。従って、明るい場所では正確な水平を素早く認識できる場合でも、薄暗い場所では認識が遅くなる問題点があった。何故ならば、水管内の気泡と基準線との接触又は交差が照明不十分の為に不明確になり、基準線と気泡との接触の認識が不正確になるおそれがあるからである。
【０００５】
従来照明付きの水平器としては、光源を水管の近傍に設置した発明（特許文献１）又は発光ダイオードを水管の反対側中心に当るようにした考案（特許文献２）が提案されており、水管の照明にはなっているが、気泡と基準線との離接の認識精度を上げることは難しかった。何故ならば、気泡端縁と基準線との当接状態の認識であるから、光線が不十分の場所で使用する場合には照明して明るくしても気泡位置の認識が不正確になり易いからである。
【課題を解決するための手段】
【０００６】
この考案は、水管の両側部基準線より外側を着色することにより、気泡端と基準線との一致、不一致を容易に確認できるようにして、前記問題点を解決したのである。また水管をセットする本体の両側部に外側部の巾を狭くしたフックを固定することによって、水平器をカラビナへ着脱する場合に、着脱が容易となった。更に、操作する者が手袋を着用していても正確に操作できるように、スイッチ片の外面に凸凹をつけた構成としたので、全体として操作容易、測定認識容易にし、精度（例えば１／１００〜２／１００内の誤差）良好にしたものである。
【０００７】
前記水管の着色は透明の黄色、青色又は緑色その他の色が考えられるが、この色を限定するものではなく色調濃度も見易いことを条件にして決める。前記着色部の内端には、従来と同様に黒線を付して境界を明確にした。
【０００８】
この考案は、従来使用されている水平器を改良したものであり、照明が不十分な場所でも水平、垂直の規制精度を高めることができるようにしたものである。
【０００９】
まず、基準線の両外側を透明の有彩色で着色し、中央部を無色にして、気泡端と基準線との関係を明確にする。例えば、気泡端が基準線を越えた部分と他部との色彩が変わり、明確な差異がつくようにしたものである。この場合に照明によって気泡端が照らされるので、気泡端の位置が明示される。即ち、気泡端は色彩の変化と受光量の変化によって境界が明確に認識されることになる。
【００１０】
次に、スイッチ片に移動方向と直角の方向に複数の突条を設けたので、スイッチのＯＮ、ＯＦＦに際し、移動方向は突条と直角の方向となっている。従って、操作する者が手袋を着用してスイッチ片を操作しても滑るおそれがなく、力を加える方向が一定し、正確なスイッチ操作を期待することができる。
【００１１】
次に、フック８、８は図２ｂに示さるように斜めに設置したので、着脱が容易となった。
【００１２】
この考案は、水管を照明すること及び基準線を堺にして水管を着色したものであるから、気泡の端縁の認識が容易となり、日照が不十分な場所又は室内、あるいは薄暗い夕方であっても、気泡の端縁と基準線とを正確に認識することができるので、作業速度を早めると共に水平、垂直の精度を向上させることができる。
【考案の効果】
【００１３】
この考案は、水管の両側に基準線を境にして着色部を設けたので、気泡端と基準線（黒線）との離接が明確になり精度が向上する効果がある。また、水管の一側で点灯するので、その光は直進して気泡端に到達し、気泡端を明確に照射するので、確認を容易にする効果がある。また、電源は単四乾電池２本で照明の点灯ができるようにしたので、ランニングコストは電池のみであり、電力消費が少ないので比較的長く使用でき、費用も低減できる効果がある。
【００１４】
また本体の両側に固定したフックによって両外側部の幅を狭くしたので、カラビナへの着脱が容易となり、取扱いも容易になるなどの効果がある。更にスイッチの表面を粗面にしたので操作に際し、手袋を着用していてもスイッチを確実にＯＮ、ＯＦＦできる効果がある。
【００１５】
また無色部と着色部との境界線を発光させれば（例えば燐光）、照明の悪い場所での使用でも水平（又は垂直）精度を高く保つことができる。
【００１６】
この考案は直方体の本体の中間部へ透孔部を設け、該透孔部へ水平および垂直用の水管を設置すると共に、各水管の両側部を基準線を介して着色し、前記本体の長手側の両側端へ先端側を弧状（幅を狭くする）に形成したフックを穿設する。前記水管の着色部の色彩は、照明により見分けがつけ易い青色又は黄色その他適宜の色を選定する。前記水管の無色部（中央）と着色部（両側）との境界線を黒色細線とすることによって、一層明確かつ正確に水平（垂直）を確認することができる。
【００１７】
前記本体の載置側（当接壁）には永久磁石を設置たので、所定の位置（例えば金属管の側壁）へ堅固に固着させることができる。
【図面の簡単な説明】
【００１８】
【図１】（ａ）この考案の実施例の正面図、（ｂ）同じく平面図、（ｃ）同じく底面図。
【図２】（ａ）同じく背面図、（ｂ）同じく側面図、（ｃ）同じく図１中Ａ−Ａ断面拡大図、（ｄ）同じく図１（ａ）の一部を省略した斜視図。
【図３】（ａ）同じく一部を省略した配線図、（ｂ）同じく回路図。
【考案を実施するための形態】
【００１９】
以下、添付図面を参照して本発明の実施形態を説明する。
【実施例１】
【００２０】
内部へ電池１４、回路１５及び付属品を収容した直方体状の本体１の中間部へ透孔部２、３を設け、該透孔部２，３へ水管４、５を夫々セットすると共に、水管４、５の両側部は基準線（黒色）６、６を介して透明青色又は透明黄色に着色し、着色部７、７（青色又は黄色）とする。本体１の短縁側には先端側を幅狭くしたフック８、８をそれぞれ固着する。図中９はスイッチ、１０は永久磁石、１１は本体１の上側面に設けた透孔、１３は電池収容部のカバーである。
【００２１】
スイッチ９の外面に凸部９ａを設けて滑り止めとしてあり、本体１との他物（例えば管体）との当接を確実にする為に凹入部１２を設け、中央部付近に永久磁石１０が埋設されている（図１（ｃ））。
【００２２】
本実施例において、本体１は例えば橙色に着色して見易くしてある。前記永久磁石１０、１０の埋設位置及び長さは実施例に限定されるものではなく、本体１を堅固に固定できればよい。そこで、本体１の当接面中央部だけでなく、本体１の当接面の左右両側へ設けることもできるが、元来本体１を安定保持するためであるから、複数箇所へ設ける必要性はない。要はセットした本体１が風などの小外力によって移動しなければよいことになる。
【００２３】
前記において、本体１の当接面の中央部には、断面Ｖ字状の凹入部１２が設けてあるが、当接面積を少なくするためであって、Ｖ字状の角度及び深さに限定はない。Ｖ字状の凹入部１２の幅ｂは、水平部ａの幅（例えば３ｍｍ〜４ｍｍ）を規制するためである。即ち、当接面積が広くなると水平仕上げ面も広くなり、水平精度の低下又は水平面を得るための作業時間も長くなるので適宜に選定される。通常側面幅１６ｍｍに対し、３ｍｍ程度である。当然のことながら前記寸法には限定はないので、製造時に適宜選定する。
【００２４】
本実施例において、水管４、５を照明する発光ダイオード１６、１７は、図３（ｂ）の回路図のように直列に接続されている。この場合には、回路１５のスイッチのＯＮ、ＯＦＦによって照明は点灯し、又は消灯する。前記発光ダイオードの回路を並列にすれば、スイッチの介在により発光ダイオード１６、１７の回路を個別に断接することもできる。
【符号の説明】
【００２５】
１  本体
２、３  透孔部
４、５  水管
６  基準線
７  着色部
８  フック
【図１】
0003175740.tif 000003
【図２】
0003175740.tif 000004
【図３】
0003175740.tif 000005